(57)【要約】【課題】  コーヒー等の主飲料と、ミルクやガムシロップ等の補助溶液を１つにまとめて流通させ、飲む時に混合させることができる二液用飲料容器を提供する。【解決手段】  上部に開口部を有する任意の飲料用容器と、該飲料用容器の下部内形状に近似した外形状よりなり上部が開口するとともに該飲料用容器内にミルクやガムシロップなどの補助溶液を収納する補助容器と、該補助容器の開口部に剥離可能に設けられストローによる押圧で裂ける補助容器用蓋と、前記飲料用容器開口部に剥離可能に設けられストローによる押圧で裂ける容器蓋とより構成される。【選択図】  図１
2005153996.tif 000002
【特許請求の範囲】
【請求項１】
上部に開口部を有する任意の飲料用容器と、該飲料用容器の下部内形状に近似した外形状よりなり上部が開口するとともに該飲料用容器内にミルクやガムシロップなどの補助溶液を収納する補助容器と、該飲料用容器と該飲料用容器を固定する固定手段と、該補助容器の開口部に剥離可能に設けられストローによる押圧で裂ける補助容器用蓋と、前記飲料用容器開口部に剥離可能に設けられストローによる押圧で裂ける容器蓋とよりなる二液用飲料容器。
【請求項２】
上部に開口部を有する任意の飲料用容器と、該飲料用容器の上部内形状に近似した外形状よりなり上部および下部が開口するとともに該飲料用容器内に主飲料を収納する補助容器と、該補助容器の下部開口部に剥離可能に設けられストローによる押圧で裂ける補助容器用蓋と、該飲料用容器と該飲料用容器を固定する固定手段と、前記飲料用容器開口部に剥離可能に設けられストローによる押圧で裂ける容器蓋とよりなり、前記補助容器は飲料用容器に収納された状態で開口部が前記飲料用容器の開口部とほぼ同じ高さに位置し前記容器蓋により飲料用容器および補助容器の蓋を兼用するようになっていることを特徴とする二液用飲料容器。
【請求項３】
補助容器の側面に下部から中間部あるいは上部にいたる溝を設けたことを特徴とする請求項２記載の二液用飲料容器。
【請求項４】
上部に開口部を有し内壁の任意高さ位置に段差部を有する任意の飲料用容器と、該段差部に接着層を介して設けられストローによる押圧で裂けるとともに前記飲料用容器下部に補助容器部を構成させる補助容器用蓋と、該補助容器の開口部に剥離可能に設けられストローによる押圧で裂けるとよりなる二液用飲料容器。
【請求項５】
飲料用容器あるいは補助容器の補助溶液を収納する容器部に仕切り部を設けるとともに補助容器用蓋により仕切った状態で密封するものであることを特徴とする請求項１、２，３又は４記載の二液用飲料容器。
【請求項６】
補助容器用蓋が飲料用容器あるいは補助容器に圧入される中間体を介して密封可能に設けられたものであることを特徴とする請求項１、２，３、４又は５記載の二液用飲料容器。
【請求項７】
上部に開口部を有する任意の飲料用容器と、該飲料用容器の上部内形状に近似した外形状よりなり上部が開口するとともに該飲料用容器内に主飲料を収納する補助容器と、該補助容器の底部および側壁部に設けられた微小な補助孔と、該補助容器開口部に折り曲げ可能に設けられ折り曲げた状態で補助容器内部に収納される操作片と、該補助容器の側壁部に設けられた流出用孔と、該補助容器を該飲料用容器内で任意距離間の上下動を可能とするように取り付ける取付手段と、前記飲料用容器開口部に剥離可能に設けられストローによる押圧で裂ける容器蓋とよりなり、前記補助容器は飲料用容器に収納された状態で開口部が前記飲料用容器の上部とほぼ同じ高さに位置し前記容器蓋により飲料用容器および補助容器の蓋を兼用するようになっていることを特徴とする二液用飲料容器。
【発明の詳細な説明】
【技術分野】
【０００１】  この発明は、コーヒー等の主飲料と、ミルクやガムシロップ等の補助溶液を１つにまとめて流通させ、飲む時に混合させることができる二液用飲料容器に関するものである。
【背景技術】
【０００２】  従来、主飲料を入れる容器と補助溶液を入れる容器は別体となっており、包装により一体としたり容器同士あるいは接続体を介して連結するようになっていた。
容器内に補助溶液用容器を内在させるものとしては、上下にストローの押圧で亀裂する閉止蓋を有する小容器を容器天部のストロー指し込み口位置に接着させたものがあった。
【特許文献１】特開平１０−１３９０７５
【発明の開示】
【発明が解決しようとする課題】
【０００３】  容器が別体になったものに関しては、流通時一体とするための構造や包装など加工を必要とし、生産性の低下や精算コストの高騰につながっていた。また、利用時、補助容器が紛失する恐れがあった。
特開平１０−１３９０７５に示す小容器を容器天板に接着させるものにおいては、固定が不安定になりがちで、ストロー指し込み時落下の可能性があり、落下した場合、利用できない状態に陥る。
本発明はこれらの問題点を解決するためになされたものである。
【課題を解決するための手段】
【０００４】  上部に開口部を有する任意の飲料用容器と、該飲料用容器の下部内形状に近似した外形状よりなり上部が開口するとともに該飲料用容器内にミルクやガムシロップなどの補助溶液を収納する補助容器と、該飲料用容器と該飲料用容器を固定する固定手段と、該補助容器の開口部に剥離可能に設けられストローによる押圧で裂ける補助容器用蓋と、前記飲料用容器開口部に剥離可能に設けられストローによる押圧で裂ける容器蓋とより構成される。【０００５】  上部に開口部を有する任意の飲料用容器と、該飲料用容器の上部内形状に近似した外形状よりなり上部および下部が開口するとともに該飲料用容器内に主飲料を収納する補助容器と、該補助容器の下部開口部に剥離可能に設けられストローによる押圧で裂ける補助容器用蓋と、該飲料用容器と該飲料用容器を固定する固定手段と、前記飲料用容器開口部に剥離可能に設けられストローによる押圧で裂ける容器蓋とよりなり、前記補助容器は飲料用容器に収納された状態で開口部が前記飲料用容器の開口部とほぼ同じ高さに位置し前記容器蓋により飲料用容器および補助容器の蓋を兼用するように構成される。【０００６】  上部に開口部を有し内壁の任意高さ位置に段差部を有する任意の飲料用容器と、該段差部に接着層を介して設けられストローによる押圧で裂けるとともに前記飲料用容器下部に補助容器部を構成させる補助容器用蓋と、該補助容器の開口部に剥離可能に設けられストローによる押圧で裂けるとよりなる二液用飲料容器。【０００７】  上部に開口部を有する任意の飲料用容器と、該飲料用容器の上部内形状に近似した外形状よりなり上部が開口するとともに該飲料用容器内に主飲料を収納する補助容器と、該補助容器の底部および側壁部に設けられた微小な補助孔と、該補助容器開口部に折り曲げ可能に設けられ折り曲げた状態で補助容器内部に収納される操作片と、該補助容器の側壁部に設けられた流出用孔と、該補助容器を該飲料用容器内で任意距離間の上下動を可能とするように取り付ける取付手段と、前記飲料用容器開口部に剥離可能に設けられストローによる押圧で裂ける容器蓋とよりなり、前記補助容器は飲料用容器に収納された状態で開口部が前記飲料用容器の上部とほぼ同じ高さに位置し前記容器蓋により飲料用容器および補助容器の蓋を兼用するように構成される。
【発明の効果】
【０００８】  本発明において、補助容器を飲料用容器の内部形状にあわせて固定手段で固定することから、補助容器を紛失させることなく、飲料用容器内に安定した状態で使用することが可能となった。
ミルクやガムシロップなどの補助溶液を飲料用容器下部に構成するとともに、主飲料と補助溶液をストローにて開けられる補助容器蓋にて隔離することにより、ストロー操作のみで必要に応じて吸引時混合することを可能とした。
該飲料用容器の上部内形状に近似した外形状の補助容器側面に下部から中間部あるいは上部にいたる溝を設けたことにより、下部空間との隙間に空気だまりができた際の気圧により押し上げを減少あるいは回避することが可能となった。
段差部を有する飲料用容器を用い、該段差部に接着層を介して補助容器用蓋を設けるものにおいては、補助容器を使用することなく、上記効果のうち飲料用容器下部に補助溶液収納が可能となることにより発生する効果を得ることが可能となった。
飲料用容器あるいは補助容器の補助溶液を収納する容器部に仕切り部を設けるとともに補助容器用蓋により仕切った状態で密封するものにおいては、その仕切りにあわせて、補助溶液として複数種類のものを利用できるようになった。また、その仕切り位置をわからせる補助容器用蓋をもちいることにより、これを間違えることなく使用することが可能となった。
補助容器用蓋が飲料用容器あるいは補助容器に圧入される中間体を介して密封可能に設けられたものにおいては、前記段差部を使用したものと同様の効果を得るとともに、圧入手段をもちいることからより容易な装着が可能となった。
上部に開口部を有する任意の飲料用容器と、該飲料用容器の上部内形状に近似した外形状よりなり上部が開口するとともに該飲料用容器内に主飲料を収納する補助容器と、該補助容器の底部および側壁部に設けられた微小な補助孔と、該補助容器開口部に折り曲げ可能に設けられ折り曲げた状態で補助容器内部に収納される操作片と、該補助容器の側壁部に設けられた流出用孔と、該補助容器を該飲料用容器内で任意距離間の上下動を可能とするように取り付ける取付手段と、前記飲料用容器開口部に剥離可能に設けられストローによる押圧で裂ける容器蓋とよりなり、前記補助容器は飲料用容器に収納された状態で開口部が前記飲料用容器の上部とほぼ同じ高さに位置し前記容器蓋により飲料用容器および補助容器の蓋を兼用するものにおいては、補助容器用蓋を利用しないため、補助容器用蓋が万が一小さく裂け破片となった際に誤飲することを防ぐことができる。あわせて、他の構成と同様に飲料用容器内に補助容器を安定した状態で固定することにおける各種効果を実現する。
【発明を実施するための最良の形態】
【０００９】  以下、本発明の実施の形態について説明する。
尚、ここで説明する各実施の形態は本発明を限定するものではなく、あくまでも発明構成を説明するための事例である。
図１は本発明の分解図、図２は本発明の断面図、図３は本発明の使用状態説明図である。
本発明は、飲料用容器１と、該飲料用容器１内下部に収納される補助容器２、補助容器上部開口部に接着層を介して剥離可能に設けられた補助容器用蓋４、該飲料用容器１の開口部に接着層を介して剥離可能に設けられた容器蓋３により構成されている。
飲料用容器１は、底部を有し下方に向かうにつれて径を小さくする円筒形状の主体と、開口部に設けられ外方向に延長された任意幅の周縁部５により構成されている。
補助容器２は、外形が前記飲料用容器１の底部内部形状に近似した外形上よりなり、上部に開口部を有する形状となっている。外壁部には、飲料用容器１内へ固定するための突起２１が設けられている。また、飲料用容器１の内壁部には、この突起２１がはまる凹状の結合部２２が設けられている。この結合部２２は、結合した状態で飲料用容器１と補助容器２の隙間から飲料が入り込まないものであれば、突起２１と同形状の孔であってもよいし、輪状となったものであってもよい。
補助容器用蓋４は該補助容器２の開口部を覆う形状よりなり、接着層を介して剥離可能に取り付けられるようになっている。
容器蓋３は、前記飲料用容器１の周縁部５を覆うとともに、周縁部５から露出するように形成されたつまみ部が設けられている。この容器蓋３は接着層を介して、前記周縁部５に剥離可能に設けられている。
補助容器用蓋４ならびに容器蓋３は、従来技術として知られるストローなどの先端差し込みによる押圧でその形状に近似した穴をあけることのできる素材よりなっている。
また、これら構成要素並びに接着層に利用される接着剤は口に入れて無害なものよりなっている。
本発明は以上の構成よりなり、これをコーヒーとミルクを利用した事例において使用法を説明する。
使用においては、図２に示すように補助容器２に補助溶液であるミルクを入れた状態で、接着層を介して補助容器用蓋４を剥離可能に取り付ける。ミルクが封入された補助容器２は、補助容器用蓋４をした状態で飲料用容器１内に入れられる。この際、突起２１を結合部２２に圧入することで、補助容器２は飲料用容器１の底部に固定される。
この状態で、飲料用容器１にコーヒー７を注ぎ、周縁部５に接着層を介して容器蓋３を剥離可能に取り付け溶液を密封する。これにより、ミルク８を封入した補助容器２はコーヒー７とともに飲料用容器１内に封入され、各容器を別々にすることなく、一体に流通時の運搬および展示可能とした。
購買者がこれを飲用するときは、図３ａに示すようにストロー６を上方から差し込むことにより、容器蓋３に穴を開け先端を飲料用容器１に挿入するとともに、さらに押し込み補助容器用蓋４に穴を開ける。
次に図３ｂに示すようにストロー６の先端を補助容器用蓋４の上に引き上げる。これにより主溶液であるコーヒー７と補助溶液ミルク８の間を隔離していた補助容器用蓋４に穴が開き、この穴から両液の混合が可能となる。このままにしていた場合、ミルク８の比重が高くコーヒー７の比重が低いため、その状態を維持する。
ここで、飲料用容器１を振ることにより補助容器２内のミルク８が補助容器用蓋４の穴から飲料用容器１内に流出しコーヒー７と混合するとともに攪拌される。攪拌に関しては飲料用容器１を振る以外にも、ストロー６による攪拌も可能である。
上記流出ならびに攪拌を適度の混合比になる状態までおこない、ストロー６の先端をミルク８が混合されたコーヒー７の位置にしたうえで飲用する。【００１０】  以下、本発明の第２実施の形態について図４から図５を利用して説明する。
図４は本発明の第２実施の分解図、図５は本発明の第２実施の使用状態説明図である。
本発明は、飲料用容器１と、該飲料用容器１内下部に収納される補助容器２、補助容器上部開口部に接着層を介して剥離可能に設けられた補助容器用蓋４、該飲料用容器１の開口部に接着層を介して剥離可能に設けられた容器蓋３により構成されている。
飲料用容器１は、底部を有し下方に向かうにつれて径を小さくする円筒形状の主体と、開口部に設けられ外方向に延長された任意幅の周縁部５により構成されている。
補助容器２は、外形が前記飲料用容器１の内部上形状に近似した外形上よりなり、上部に開口部を有する形状となっており、上面及び下面が開口状態となっている。また、その上部周縁部は飲料用容器１の内部最上部の内形状に近似したものである。外壁部には、飲料用容器１内へ固定するための突起２１が設けられている。また、飲料用容器１の内壁部には、この突起２１がはまる凹状の結合部２２が設けられている。
補助容器用蓋４は該補助容器２の下部開口部を覆う形状よりなり、接着層を介して剥離可能に取り付けられるようになっている。
容器蓋３は、前記飲料用容器１の周縁部５を覆うとともに、周縁部５から露出するように形成されたつまみ部が設けられている。この容器蓋３は接着層を介して、前記周縁部５に剥離可能に設けられている。
本発明は以上の構成よりなり、これをコーヒーとミルクを利用した事例において使用法を説明する。
図５ａに示すように飲料用容器１に補助容器２を入れた際に補助容器２の底部以下で底部に極めて近い位置までミルク８を注ぐ。
その状態で飲料用容器１の中に補助容器２を入れる。突起２１を結合部２２に圧入することで、補助容器２は飲料用容器１に固定される。この際、補助容器２はその形状から飲料用容器１の開口部と開口部がほぼ同じ高さとなるようになっている。この状態で補助容器２にコーヒー７を注ぎ接着層を介して容器蓋３を剥離可能に取り付けることで封填される。この際、補助容器２はほぼ開口部位置を飲料用容器１の開口部と同じであるため、コーヒーの封入とあわせ補助容器２の固定の役割をはたしている。
購買者がこれを飲用するときは、図５ｂに示すようにストロー６を上方から差し込むことにより、容器蓋３に穴を開け先端を飲料用容器１に挿入するとともに、さらに押し込み補助容器用蓋４に穴を開ける。
次にストロー６の先端を補助容器用蓋４の上に引き上げる。これにより補助容器２内のコーヒー７と飲料用容器１下部にあるミルク８の間を隔離していた補助容器用蓋４に穴が開き、この穴から両液の混合が可能となる。このままにしていた場合、ミルク８の比重が高くコーヒー７の比重が低いため、その状態を維持する。
ここで、飲料用容器１を振ることにより補助容器２内のミルク８が補助容器用蓋４の穴から飲料用容器１内に流出しコーヒー７と混合するとともに攪拌される。攪拌に関しては飲料用容器１を振る以外にも、ストロー６による攪拌も可能である。
上記流出ならびに攪拌を適度の混合比になる状態までおこない、ストロー６の先端をミルク８が混合されたコーヒー７の位置にしたうえで飲用する。【００１１】  以下、本発明の第３実施の形態について図６から図７を利用して説明する。
図６は本発明の第３実施の分解図、図７は本発明の第３実施の使用状態説明図である。
本発明の事例は前記第２実施の形態とほぼ同様であるが、側面に下方から中間部まで溝９が設けられている。
ミルク８を入れた状態で補助容器２を挿入する際の中間にある空気で補助容器２が押し戻されるのを防ぐ役割をはたすものである。この溝９が、補助容器２挿入時の中間空気の逃げ道となるとともに、封入空間面積を増やすことにより、空気による反発圧を減少させるようになっている。
なお、溝９は上部にまでいたるものであってもよい。
本発明以上の構成よりなり、これを使用するときは第２実施の形態と同様に使用するが、補助容器２を飲料用容器１内部に固定する際、飲料用容器１と補助容器２間の空気層部が圧迫され、補助容器２を押し上げる作用を溝９が減少させるので、より安定した固定状態となる。【００１２】  以下、本発明の第４実施の形態について図８から図１２を利用して説明する。
図８は本発明の第４実施の補助容器平面図、図９は本発明の第４実施の補助容器正面図、図１０は本発明の第４実施の断面図、図１１は本発明の第４実施の使用状態説明図、図１２は本発明の第４実施の使用状態説明図である。
補助容器２は、飲料用容器１の上部内形状に近似したものであり、上部には折り曲げ可能な操作片１２が一体に設けられている。初期段階では、この操作片は横に折り曲げた状態となっている。側面中央付近には、４つの流出孔１０が設けられている。また、側面および底部には複数の小さな径の補助孔１１が設けられている。この補助孔１１は飲料用容器１および補助容器２に飲料等を入れ一定の気圧状態では、空気および液体を通さないようになっている。
また、補助容器２の側面には縦長のガイド孔２３が設けられている。
補助容器２の形状をもう少し詳細に説明すると、図１０に示すように取り付けた状態で補助容器２の折り曲げた操作片１２の最上部が飲料用容器１周縁部とほぼ同じ高さに位置するものであり、補助容器２を飲料用容器１に落としこんだ状態で、飲料用容器１と補助容器２の隙間は密封される形および大きさとなったものである。
本事例においては、飲料用容器１の内壁部に、前記ガイド孔２３にはまる抜け防止突起２４が設けられている。これは、補助容器２を落とし込んだ状態から一定の高さ間で補助容器２が上下に移動可能とするように設けられている。
本発明は以上の構成よりなっている。
これを利用するときは、飲料用容器１に補助容器２を入れた際に補助容器２の底部以下で底部に極めて近い位置までミルクを注ぐ。
その状態で飲料用容器１の中に補助容器２を入れる。この際、飲料用容器１の抜け防止突起２４が補助容器２のガイド孔２３にはまるようにする。補助容器２を飲料用容器１内に落としこむと、飲料用容器１と補助容器２の間にある空気層の空気は、補助容器２の底部にある補助孔１１から適量抜け気圧が調整される。この状態で補助容器２にコーヒーなどの主飲料を一気に注ぎ込む。この際、飲料用容器１と補助容器２の間にある空気層の空気は一定の気圧を保ち、また小さな補助孔１１の影響もあり、飲料は補助容器２から落ちることなく補助容器内に充填され、最後に容器蓋３を飲料用容器の周縁部に５に取り付け密封する。この際、容器蓋３は補助容器２の固定の役割も果たす。
以上の状態で、流通にのせたり、携帯する。
これを飲もうとするときは、まず容器蓋３を取り外す。ミルクとコーヒーを混合しない場合は、ストローを補助容器内に差し込んで吸引することで飲むことができる。ミルクとコーヒーを混合したい場合は、図１１、図１２に示すように操作片１２を立ち上げ、この操作片を掴んだ状態で補助容器２を上下動させる。
上に動かした場合、図１１に示すように抜け防止突起２４がガイド孔２３にあたりストッパーの役割を果たし、一定の高さで止まるようになっている。この際、飲料用容器１と補助容器２の間に隙間が生じ、流出用孔１０からコーヒーが流出し、飲料用容器１のミルクと混合されるようにたまっていく。次に補助容器を下げると、補助孔から下部溶液が補助孔内に侵入する。これら動作を連続させていくと徐々にミルクがコーヒーに混合され、適度な混合状態で飲むことができる。【００１３】  以下、本発明の第５実施の形態について図１３から図１４を利用して説明する。
図１３は本発明の第５実施の分解図、図１４は本発明の第５実施の断面図である。
本発明は、図１３、１４に示すように中間下部位置で下部の容器径が小さくなり、段差部１５が構成された飲料用容器１と、この段差部１５に接着層を介して密封するとともに、ストローにより孔があく補助容器用蓋４と、該飲料用容器１周縁部に容器を密封するように粘着層を介して設けられる容器蓋３とにより構成されている。
本発明は以上の構成よりなり、これを利用するときには飲料用容器１に、段差部１５の高さをこえない範囲でミルクを入れ、段差部１５に補助容器用蓋４を接着層を介して取り付け密封する。次にコーヒーをいれ、容器蓋３で飲料用容器１を密封する。
これを飲むときは、前記第２、第３実施の形態と同様におこなう。【００１４】  以下、本発明の第６実施の形態について図１５から図１６を利用して説明する。
図１５は本発明の第６実施の断面図、図１６は本発明の第６実施の容器平面図である。
本発明は、前記第５実施の形態の飲料用容器下部に仕切り部１６を設けたものである。図１５、図１６に示すように仕切り部１６は段差部１５と同じ高さであり、上部が接着層を介して補助容器用蓋４に取り付けられることにより、２つの収納部を構成するようになっている。図においては、１対１の容量に仕切っているが、これは目的に応じて仕切り部位置を変えることで調整することが可能である。
これを使用するときは、下部の各収納部にミルクとガムシロップを別々にいれて、混合したいほうの補助容器用蓋４にストローで孔をあけて混合する。
図においての記載はないが、補助容器用蓋４下の収納部位置をわからせるために、補助容器用蓋４の表面に区画線や色分けなどの印刷を施すことで、間違えることなく正確に孔をあけることができる。【００１５】  以下、本発明の第７実施の形態について図１７から図１８を利用して説明する。
図１７は本発明の第７実施の分解図、図１８は本発明の第７実施の断面図である。
本発明は、前記第５実施の形態の補助容器用蓋の構成を変えたものである。飲料用容器１内壁の段差部１５の上に輪状に凹んだ結合溝１８が設けられている。
補助容器用蓋４は前記結合溝１８に圧入されるリング状の中間体１７と、この中間体の上面に接着層を介して取り付けられるシール体２５により構成されている。これを結合溝１８に圧入することで飲料用容器１下部を密封するようになっている。
本発明は以上の構成よりなり、前記補助容器用蓋４の取り付け以外は、前記第５実施の形態と同様である。【００１６】  以下、本発明の第８実施の形態について図１９から図２０を利用して説明する。
図１９は本発明の第８実施の分解図、図２０は本発明の第８実施の断面図である。
本発明は、前記第７実施の形態と同様に中間体１７とシール体２５により補助容器用蓋４を構成し、更に仕切り板１６を設けたものである。図１９に示すように中間体１７には、仕切り板１６の上部にあたる位置に仕切りあて１９が設けられており、接着層を介して仕切り板１６に接着され収納部を構成するようになっている。
これを利用するときは、前記第６実施の形態と同様である。【００１７】  尚、ここで説明した各実施の形態は本発明を限定するものではなく、あくまでも発明構成を説明するための事例である。上記各実施の形態の要素を各種組み合わせることも可能である。
【図面の簡単な説明】
【００１８】
【図１】  本発明の分解図
【図２】  本発明の断面図
【図３】  本発明の使用状態説明図
【図４】  本発明の第２実施の分解図
【図５】  本発明の第２実施の使用状態説明図
【図６】  本発明の第３実施の分解図
【図７】  本発明の第３実施の使用状態説明図
【図８】  本発明の第４実施の補助容器平面図
【図９】  本発明の第４実施の補助容器正面図
【図１０】  本発明の第４実施の断面図
【図１１】  本発明の第４実施の使用状態説明図
【図１２】  本発明の第４実施の使用状態説明図
【図１３】  本発明の第５実施の分解図
【図１４】  本発明の第５実施の断面図
【図１５】  本発明の第６実施の断面図
【図１６】  本発明の第６実施の容器平面図
【図１７】  本発明の第７実施の分解図
【図１８】  本発明の第７実施の断面図
【図１９】  本発明の第８実施の分解図
【図２０】  本発明の第８実施の断面図
【符号の説明】
【００１９】１  飲料用容器
２  補助溶液
３  容器蓋
４  補助容器用蓋
５  周縁部
６  ストロー
７  コーヒー
８  ミルク
９  溝
１０  流出孔
１１  補助孔
１２  操作片
１５  段差部
１６  仕切り部
１７  中間体
１８  結合溝
１９  仕切りあて
２１  突起
２２  結合孔
２３  ガイド孔
２４  抜け防止突起
２５  シール体
【図１】
2005153996.tif 000003
【図２】
2005153996.tif 000004
【図３】
2005153996.tif 000005
【図４】
2005153996.tif 000006
【図５】
2005153996.tif 000007
【図６】
2005153996.tif 000008
【図７】
2005153996.tif 000009
【図８】
2005153996.tif 000010
【図９】
2005153996.tif 000011
【図１０】
2005153996.tif 000012
【図１１】
2005153996.tif 000013
【図１２】
2005153996.tif 000014
【図１３】
2005153996.tif 000015
【図１４】
2005153996.tif 000016
【図１５】
2005153996.tif 000017
【図１６】
2005153996.tif 000018
【図１７】
2005153996.tif 000019
【図１８】
2005153996.tif 000020
【図１９】
2005153996.tif 000021
【図２０】
2005153996.tif 000022